(57)【要約】 【課題】  ベルトをバックルに固定する固着部に操作部片を設け、ベルトの固定又は分離機能を該操作部片により行い、ベルト用バックルからベルトの分離操作を簡単にする。【解決手段】  前面部２の裏面に設けた保持部３の一側にベルト挿通口６を設け、他側の上下にそれぞれ対をなして設けた保持板７，７に長孔８，８及び支持口９，９を有し、ベルトを前記前面部の裏面に圧着固定させる、スプリング２８で反時計方向に弾発させた押圧片２５と操作部片１８とからなる固着部１７の基部１９に設けた孔部２６ｂと、ベルト後端を連結した後方連結具１０の連結部１２、１２の前部に設けた収容穴１３，１３とを合致させて円筒ピン２９を挿通し、該円筒ピンの両端を前記保持板の支持口９、９に止ピン３０、３０で軸着させて前記固着部１７を回動可能に軸支させてある。【選択図】  図３
0003135371.tif 000002
【実用新案登録請求の範囲】
【請求項１】
前面部２の裏面に設けた保持部３の一側にベルト挿通口６を設け、他側の上下にそれぞれ対をなして設けた保持板７，７に長孔８，８及び支持口９，９を形成し、ベルトを前記前面部の裏面に圧着固定させる、スプリング２８で反時計方向に弾発させた押圧片２５と、回動操作用の操作部片１８とからなる固着部１７の基部１９に設けた軸支孔１７ａと、ベルト後端を連結する後方連結具１０の連結部１２、１２の前部に設けた収容穴１３，１３とを合致させて円筒ピン２９を挿通し、該円筒ピンの両端を前記保持板の支持口９、９に止ピン３０、３０で軸着して前記固着部１７を回動可能に軸支させてなることを特徴とするワンタッチバックル。
【請求項２】
前記固着部１７は、後方連結具１０の両側に形成した連結部１２，１２の前部に設けた収容穴１３，１３内に、回動且つ一定範囲で前後動する操作部片１８と該操作部片１８の基部１９内に組み合わせてベルトを圧着固定する押圧片２５とからなることを特徴とする請求項１記載のワンタッチバックル。
【請求項３】
前記操作部片１８は、凹状にした基部１９の両端に小径の通孔２０、２０を有し、該操作部片の後部表面に凹凸部１８ａを設けると共に、前記基部１９の内底部に設けた凹溝２２と同一直線上に位置して前記基部の両端に貫通して設けた挿通口２３、２３と、前記後方連結具の連結部１２、１２の前部に設けた小孔１５、１５とに細棒１４を挿通して該後方連結具と操作部片１８とを連動させるようにしたことを特徴とする請求項１又は２記載のワンタッチバックル。
【請求項４】
前記押圧片２５は、前部から後部側に向かってややカーブさせた外面に食込片２５ａを形成し、後部に前記操作部片の基部１９内に係合させる円柱部２６の中間部に設けた受入室２７内に収容するスプリング２８の一端を該受入室２７の一側端に掛止し、他端を該スプリングの中心方向に折り曲げて立上片２８ｂを設け、該スプリングを回動させて反時計方向に弾発力を付与させ、該円柱部２６の一側端および前記基部１９の他側端に設けた段部１９ａ，２６ｂを掛止させてなることを特徴とする請求項１ないし３の何れか１記載のワンタッチバックル。
【請求項５】
前記押圧片２５は、円柱部２６の内部に受入室２７の内径と同径の孔部２６ｂ，２６ｂを形成し、該孔部２６ｂに挿通させる円筒ピン２９には一端から略中間部まで直線状の切込溝２９ａを設け、前記スプリング２８の内部に挿通させた円筒ピン２９の切込溝２９ａ内に該スプリングの立上片２７ｂを掛止させ、円筒ピン２９を回動させることによりスプリング２９に反時計方向に弾発力を付与させてなることを特徴とする請求項１ないし４の何れか１記載のワンタッチバックル。
【考案の詳細な説明】
【技術分野】
【０００１】
本考案は、ズボンを腰部に装着するためのベルトの着脱を容易にしたワンタッチバックルに関するものである。
【背景技術】
【０００２】
従来のベルト用バックルは、一般にバックルの正面部とその裏面部に設けた掛止操作部とを有し、この掛止操作部はベルトをバックルに固定するための固定部と、回動可能に設けた可動部とから構成されている。そして、この係止部に設けた固定部はバネで弾発力が付勢されており、この弾発力を利用してベルトをバックルに固定させたり、取り外したりしている。さらに、掛止部に設け且つバネで弾発されている固定部をバネに抗して回動操作するために、この掛止部の一端に係止レバーを突出したものがある。
【特許文献１】特開２０００−３３７０８号公報
【考案の開示】
【考案が解決しようとする課題】
【０００３】
前記したように、掛止操作部に係止レバーを具えたバックルは、ベルト操作を容易にするため掛止部の一端に設けてあり、腰部に装着するバックルの左右方向の向きに応じて、該係止レバーは腰に装着したベルトの上側または下側から突出した状態に位置することになる。しかし、ベルトの下側に該係止レバーが位置している場合には、指先をベルトの下側位置まで届かせるために、操作性が悪いという問題点を有していた。その上、操作部の一端から係止レバーが突出している構成のため、取り扱いに注意を要するという問題点を有していた。
【０００４】
本考案が解決しようとする課題は、ベルトをバックルに固定する固着部の一端から突出している操作片を不要にし、該固着部にベルトの固定又は分離機能を有するようにし、ベルト用バックルからベルトを分離または固着さるための操作をワンタッチで容易に行えるようにすることを目的とする。
【課題を解決するための手段】
【０００５】
上記課題を解決するために、本考案は、前面部２の裏面に設けた保持部３の一側にベルト挿通口６を設け、他側の上下にそれぞれ対をなして設けた保持板７，７に長孔８，８及び支持口９，９を形成し、ベルトを前記前面部の裏面に圧着固定させる、スプリング２８で反時計方向に弾発させた押圧片２５と、回動操作用の操作部片１８とからなる固着部１７の基部１９に設けた軸支孔１７ａとベルト後端を連結する後方連結具１０の連結部１２、１２の前部に設けた収容穴１３，１３とを合致させて円筒ピン２９を挿通し、該円筒ピンの両端を前記保持板の支持口９、９に止ピン３０、３０を軸着させて前記固着部１７を回動可能に軸支させてなるものである。また、前記固着部１７は、後方連結具１０の両側に形成した連結部１２，１２の前部に設けた収容穴１３，１３内に、回動且つ一定範囲で前後動する操作部片１８と該操作部片１８の基部１９内に組み合わせてベルトを圧着固定する押圧片２５とからなるものである。さらに、前記操作部片１８は、凹状にした基部１９の両端に小径の通孔２０、２０を有し、該操作部片の後部表面に凹凸部１８ａを設けると共に、前記基部１９の内底部に設けた凹溝２２と同一直線上に位置して前記基部の両端に貫通して設けた挿通口２３、２３と、前記後方連結具の連結部１２、１２の前部に設けた小孔１５、１５とに細棒１４を挿通して該後方連結具と操作部片１８とを連動させるようにしたことを特徴とする。また、前記押圧片２５は、前部から後部側に向かってややカーブさせた外面に食込片２５ａを形成し、後部に前記操作部片の基部１９内に係合させる円柱部２６の中間部に設けた受入室２７内に収容するスプリング２８の一端を該受入室２７の一側端に掛止し、他端を該スプリングの中心方向に折り曲げて立上片２８ｂを設け、該スプリングを回動させて反時計方向に弾発力を付与させ、該円柱部２６の一側端および前記基部１９の他側端に設けた段部１９ａ、２６ｂを掛止させてなるものである。さらにまた、前記押圧片２５は、円柱部２６の内部に設けた受入室２７の内径と同径の孔部２６ｂ，２６ｂを形成し、該孔部２６ｂに挿通させる円筒ピン２９には一端から略中間部まで直線状の切込溝２９ａを設け、前記スプリング２８の内部に挿通させた円筒ピン２９の切込溝２９ａ内に該スプリングの立上片２７ｂを掛止させ、円筒ピン２９を回動させることによりスプリング２９に反時計方向に弾発力を付与させてなることを特徴とする。
【０００６】
上記のように構成してあるので、ベルトを固着させる固着部１７はスプリング２８で反時計方向に弾発させてベルトを前面部の裏面に圧着する押圧片２５と、ベルトを固着又は分離させるための操作をする操作部片１８とからなり、該操作部片の後面に設けた凹凸部１８ａを前記スプリングの弾発力で弾発されている操作部片１８を指先で回動操作することにより、押圧片２５に先端の食込片は時計方向に回動する。この場合、細棒１４によって操作部片１８９の挿通口２３と後方連結具１０の小孔１５、１５とは軸支されており、且つ、保持板７、７に設けた長孔８、８に係合する突起１６、１６によって略水平方向に案内させることができる。
【０００７】
押圧片２５と操作部片１８とからなる固着部１７の軸支孔１７ａに軸支させた円筒ピン２８は、前記後方連結具の連結部１２、１２の前部に左右方向に大きく形成した収容穴内１３、１３に挿通させ、また、連結部に設けた突起１６、１６を前記保持板７、７に設けた長孔８、８内に係合してあり、且つ、前記操作部片の挿通口２３と押圧片の孔部２６ａとを合致させて細棒１４で軸支してあるので、操作部片１８を時計方向に回動させると、該操作部片と共に後方連結具の連結部１２、１２は前進し，且つ押圧片２５の背面部分によって後方連結具を後部側を下方に多少押し下げることにより、ベルト挿入口からの出し入れを容易にしている。
【考案を実施するための最良の形態】
【０００８】
本考案に係る実施の形態を図面に基づいて説明すると、図１は本考案に係るバックルにベルトの先端部を挿入して固着させた状態の説明図、図２はベルトを引き抜くためにバックルの固着部を後部側に回動して倒した状態を示す斜視図、図３はバックルを構成する部品を分解した状態の斜視図、図４は固着部の斜視図、図５は固着部を構成する操作部片と押圧片とを分離した状態の斜視図、図６はベルト先端部の裏面を示した説明図である。バックル１は、任意形状をした前面部２とベルト後端を連結して該ベルトの先端を固着させる固着部１７とを有し、前記前面部２の裏面の他側に取り付けた後方連結具１０とで構成してある。
【０００９】
バックル１を構成する前面部２の裏面中間部に取り付けた保持部３は、上下方向に連続した細巾の前方連結板４を前記前面部２の一側、即ち前部側に位置させてあり、上下両端をそれぞれ略直角に折り曲げ且つ水平方向の他側、即ち後部側に延長させて設けた細巾の側面部５、５の前端縁を、前記前面部２の裏面中間上下部に一体に固着してある。この前面部２の裏面と前方連結板４との間にはベルト挿通口６を設けてある。
【００１０】
保持部３の上下に設けた側面部５、５の後部側に、前記前面部２から離れる方向（後方）にそれぞれ保持板７、７を設け、該保持板の後部側に突出した突出片７ａ、７ａの内部に略水平方向に長孔８、８を形成してある。さらに、該保持板７，７には長孔８の前端に接近した位置に、後記する円筒ピン２９を軸支する支持口９、９をそれぞれ設けてある。
【００１１】
１０はベルト後端を連結する取付部１１を具えて略コ字型をした後方連結具で、該取付部１１の両端から前側に設けた連結部１２，１２の前端にそれぞれ横長に形成した収容穴１３，１３の下側一端に小孔１５，１５を形成してある。また、連結部１２、１２の中間下面には、後記する押圧片の後面部が掛止して該後方連結具を下方に押し下げる掛止板１２ａを設けてある。さらに、収容穴１３，１３の後部側に接近して連結部１２，１２の中間部の外面に、前記保持板７、７の長孔８，８に遊嵌させる突起１６，１６をそれぞれ形成し、該後方連結具１０を一定範囲で進退動できるようにし、該後方連結具の後部が下方に回動しないように略水平に維持している。
【００１２】
後方連結具１０の前部に回動可能に軸支する固着部１７は、該固着部を回動操作する操作部片１８と、ベルトを前面板２の裏面に押圧する押圧片２５とで構成してある。さらに、該操作部片１８の後部表面に凹凸部１８ａを設け、内部を凹状にした基部１９の内底部に設けた細巾の凹溝２２と同一直線上に位置させた小径の挿通口２３，２３をそれぞれ該期部の両端に貫通して設けてある。この操作部片１８の一端は、一方の端面板２１の外方まで突出させて弧状の止片１８ｂを形成してある。
【００１３】
２５は硬質合成樹脂材からなる押圧片で、表面の前部から後部に向かってカーブさせて凹凸状の食込片２５ａを形成し、この押圧片２５の後部には前記操作部片１８の凹入部１９内に係合するために設けた円柱部２６の一側端および前記基部部１９の側端部にそれぞれ掛止する段部１９ａ、２６ａを形成してある。この円柱部２６の中間部を切り欠いて設けた受入室２７内に収容するスプリング２８の一端を外方に突出させた突片２８ａを該受入室２７の一側端に設けた切込２７ａに掛止し、また、スプリングの他端は該スプリングの中心方向に折り曲げて立上片２８ｂを設けてある。
【００１４】
この押圧片２５の円柱部２６の内部には、前記受入室２７の内径と同径の孔部２６ｂ，２６ｂを形成し、該孔部２６ｂは前記操作部片の基部１９の両端に設けた通孔２０，２０と同径に形成してある。この通孔２０と該孔部２６ｂとに挿通する円筒ピン２９は、一端から略中間部まで直線状の切込溝２９ａを形成し、前記スプリングの内部に挿通した円筒ピン２９の切込溝２９ａ内に該スプリングの立上片２７ｂを掛止し、円筒ピン２９を回動してスプリング２９に弾発力を付与することができる。
【００１５】
バックルの前面部２の裏面に設けた保持部３の一側に設けた保持板７，７の支持口９、９に前記円筒ピン２９を合致させ、頭部を有した止ピン３０，３０を該円筒ピンの端部内に嵌合し、且つ、円筒ピンを回動させることによりスプリング２８に弾発力を付与した状態で押圧片２５を操作部片１８の基部１９内に取り付けて固着部１７を形成し、該固着部の下方に設けた軸支孔１７ａは、前記基部１９の通孔２０と、前記押圧片２５の孔部２６ａとで構成してあり、該軸支孔１７ａに前記前記円筒ピン２８を挿通して前記保持板の支持口９、９に軸支させてある。
【００１６】
また、前記後方連結具１０の連結部１２，１２の端部に設けた小孔１５，１５と、前記固着部１７の操作部片１８の凹入部１９の底部に貫通して設けた挿通口２３に、細棒１４を挿通して該固着部１７と後方連結具１０とを一体に回動するようにし、該細棒１４の両端は、前記保持部３の保持板７，７の内面によって掛止してある。
【００１７】
３５はベルトで、間に革芯材を収容して表面革と裏面革の周囲を縫着して一体的に構成し，先端部の裏面部分に一定間隔毎に多数の凹溝部３６を形成してある。このベルトの先端裏面，即ち、バックルに装着してある前記固着部１７が当接する部分に凹溝部３６を設けてあると、該固着部の押圧片２５の先端が係合してベルトは滑ることなく固着する。しかし、この凹溝部は必ずしも必要ではない。
【００１８】
図１に示した固着部１７を構成している操作部片１８の一方端に設けた止片１８ｂの側端部は、後方連結具１０の一方の連結部１２の前部背面側に設けた係止部１２ｂに掛止するストッパーの機能を有し、固着部の押圧片２５の先端部を立ち上げた状態に保つ作用を有している（図１）。
【００１９】
このバックルの作用について説明すると、腰の周りに装着したベルト３５の先端を、前面部２の裏面に設けた保持部３のベルト挿通口６から挿入させると、スプリング２８の弾発力によって反時計方向に弾発されて前記保持部の支持口９、９に回動可能に軸支してある押圧片２５を有した固着部１７を時計方向に倒すようしてベルトは進入する。ベルトは固着部の押圧片２５の噛合部２５ａがベルト裏面の凹溝部３６に圧着して固着し、後方には移動しない。
【００２０】
ベルトをバックル１から分離させる場合は、保持板３、３の支持口９，９に円筒ピン２９で軸支している操作部片１８の通孔２０と、後方連結具１０の連結部１２，１２に設けた小孔１５，１５とが細棒１４で軸視されているため、該操作部片の凹凸部１８ａを図１の矢印方向に回動させると、該連結部の突起１６，１６が前期保持板の長孔８、８内を前進すると共に、操作部片の凹入部１９内にスプリング２８で反回転方向に弾発されて軸支されている押圧片２５も時計方向に回動して該連結部の間に設けた掛止板１２ａに掛止して該後方連結具１０の後部側を下方に押し下げ、ベルトを引き抜きやすくしている。
【００２１】
この凹凸部１１８ａから指先を離せば、固着部１７は内蔵したスプリング２８の弾発力によって元の状態に復帰することができる。
【図面の簡単な説明】
【００２２】
【図１】本考案に係るバックルにベルトの先端部を挿入して固着させた状態の説明図である。
【図２】ベルトを引き抜くためにバックルの固着部を後部側に回動させて倒した状態を示す斜視図である。
【図３】バックルを構成する部品を分解した状態の斜視図である。
【図４】固着部の斜視図である。
【図５】固着部を構成する操作部片と押圧片を分離させた状態の斜視図である。
【図６】ベルト先端部の裏面を示した説明図である。
【符号の説明】
【００２３】
１      バックル
２      前面部
３      保持部
６      ベルト挿通口
７      保持板
８      長孔
９      支持口
１０      後方連結具
１２      連結部
１２ａ    掛止板
１３      収容穴
１４      細棒
１５      小孔
１６      突起
１７      固着部
１７ａ    軸支孔
１８      操作部片
１８ａ    凹凸部
１９      基部
１９ａ    段部
２０      通孔
２２      凹溝
２３      挿通口
２５      押圧片
２６      円柱部
２６ａ    孔部
２６ｂ    段部
２７      凹入室
２８      スプリング
２９      円筒ピン
２９ａ    切込溝
３０      止ピン
【図１】
0003135371.tif 000003
【図２】
0003135371.tif 000004
【図３】
0003135371.tif 000005
【図４】
0003135371.tif 000006
【図５】
0003135371.tif 000007
【図６】
0003135371.tif 000008
【手続補正書】
【提出日】平成19年7月3日(2007.7.3)
【手続補正１】
【補正対象書類名】実用新案登録請求の範囲
【補正対象項目名】請求項２
【補正方法】変更
【補正の内容】
【請求項２】
前記固着部１７は、後方連結具１０の両側に形成した連結部１２，１２の前部に設けた収容穴１３，１３内に、回動且つ一定範囲で前後動する操作部片１８と該操作部片１８の基部１９内に組み合わせてベルトを圧着固定する押圧片２５とからなり、前記連結部１２，１２の中間外面に設けた突起１６，１６を前記保持板７，７に設けた長孔８，８内に前後動可能に係合させてなることを特徴とする請求項１記載のワンタッチバックル。
【手続補正２】
【補正対象書類名】明細書
【補正対象項目名】０００５
【補正方法】変更
【補正の内容】
【０００５】
上記課題を解決するために、本考案は、前面部２の裏面に設けた保持部３の一側にベルト挿通口６を設け、他側の上下にそれぞれ対をなして設けた保持板７，７に長孔８，８及び支持口９，９を形成し、ベルトを前記前面部の裏面に圧着固定させる、スプリング２８で反時計方向に弾発させた押圧片２５と、回動操作用の操作部片１８とからなる固着部１７の基部１９に設けた軸支孔１７ａとベルト後端を連結する後方連結具１０の連結部１２、１２の前部に設けた収容穴１３，１３とを合致させて円筒ピン２９を挿通し、該円筒ピンの両端を前記保持板の支持口９、９に止ピン３０、３０を軸着させて前記固着部１７を回動可能に軸支させてなるものである。また、前記固着部１７は、後方連結具１０の両側に形成した連結部１２，１２の前部に設けた収容穴１３，１３内に、回動且つ一定範囲で前後動する操作部片１８と該操作部片１８の基部１９内に組み合わせてベルトを圧着固定する押圧片２５とからとからなり、前記連結部１２，１２の中間外面に設けた突起１６，１６を前記保持板７，７に設けた長孔８，８内に前後動可能に係合させてなるものである。さらに、前記操作部片１８は、凹状にした基部１９の両端に小径の通孔２０、２０を有し、該操作部片の後部表面に凹凸部１８ａを設けると共に、前記基部１９の内底部に設けた凹溝２２と同一直線上に位置して前記基部の両端に貫通して設けた挿通口２３、２３と、前記後方連結具の連結部１２、１２の前部に設けた小孔１５、１５とに細棒１４を挿通して該後方連結具と操作部片１８とを連動させるようにしたことを特徴とする。また、前記押圧片２５は、前部から後部側に向かってややカーブさせた外面に食込片２５ａを形成し、後部に前記操作部片の基部１９内に係合させる円柱部２６の中間部に設けた受入室２７内に収容するスプリング２８の一端を該受入室２７の一側端に掛止し、他端を該スプリングの中心方向に折り曲げて立上片２８ｂを設け、該スプリングを回動させて反時計方向に弾発力を付与させ、該円柱部２６の一側端および前記基部１９の他側端に設けた段部１９ａ、２６ｂを掛止させてなるものである。さらにまた、前記押圧片２５は、円柱部２６の内部に設けた受入室２７の内径と同径の孔部２６ｂ，２６ｂを形成し、該孔部２６ｂに挿通させる円筒ピン２９には一端から略中間部まで直線状の切込溝２９ａを設け、前記スプリング２８の内部に挿通させた円筒ピン２９の切込溝２９ａ内に該スプリングの立上片２７ｂを掛止させ、円筒ピン２９を回動させることによりスプリング２９に反時計方向に弾発力を付与させてなることを特徴とする。
【手続補正３】
【補正対象書類名】図面
【補正対象項目名】図４
【補正方法】変更
【補正の内容】
【図４】
0003135371.tif 000009
【手続補正４】
【補正対象書類名】図面
【補正対象項目名】図５
【補正方法】変更
【補正の内容】
【図５】
0003135371.tif 000010